(57)【要約】【課題】汚れが少なく清潔なペーパーライクリライタブル媒体を供給することのできるクリーニング装置、電子ペーパーに画像を書き込む画像書込み装置であって汚れが少なく清潔な電子ペーパーを供給することができる画像書込み装置、および表面の汚れを防止することのできるペーパーライクリライタブル媒体を提供する。【解決手段】トレイ１１に収容されたペーパーライクリライタブル媒体である電子ペーパー２１０に対し、相対的に移動することによりその電子ペーパー２１０のクリーニングを接触型のクリーニングブラシ１２＿１，１２＿２で行ない、搬送ロール１３＿１，１３＿２で搬送する。【選択図】　　　　図１
2004105853.tif 000002
【特許請求の範囲】
【請求項１】
ペーパーライクリライタブル媒体を収容する収容部と、収容されたペーパーライクリライタブル媒体に対し相対的に移動することによりペーパーライクリライタブル媒体のクリーニングを行なうクリーニング手段とを有することを特徴とするクリーニング装置。
【請求項２】
前記クリーニング手段は、接触型の部材で擦り落とす機能を有することを特徴とする請求項１記載のクリーニング装置。
【請求項３】
前記ペーパーライクリライタブル媒体は電子データを記憶するメモリを備えたものであって、前記クリーニング手段は、可視画像として記録されている画像及びメモリ内のデータを消去する機能を有することを特徴とする請求項１記載のクリーニング装置。
【請求項４】
前記クリーニング手段は、前記ペーパーライクリライタブル媒体を非接触で除菌する除菌機能を有することを特徴とする請求項１記載のクリーニング装置。
【請求項５】
前記クリーニング手段は、熱による殺菌機能を有することを特徴とする請求項１記載のクリーニング装置。
【請求項６】
前記クリーニング手段は、溶媒によるクリーニング機能を有することを特徴とする請求項１記載のクリーニング装置。
【請求項７】
汚れを検知する汚れ検知手段を備え、前記クリーニング手段は該汚れ検知手段による汚れ検知結果に応じたクリーニングを行なうものであることを特徴とする請求項１記載のクリーニング装置。
【請求項８】
前記収容部は、内部が抗菌処理されたものであることを特徴とする請求項１記載のクリーニング装置。
【請求項９】
前記収容部は、ペーパーライクリライタブル媒体が収容されたトレイが着脱自在に装填されるトレイ装填部と、該トレイ装填部に装填されたトレイから取り出されたペーパーライクリライタブル媒体を収容する媒体収容部とからなり、前記クリーニング手段は、前記トレイに収容されたペーパーライクリライタブル媒体をクリーニングして前記媒体収容部に収容させるものであることを特徴とする請求項１記載のクリーニング装置。
【請求項１０】
電子ペーパーを収容する収容手段と、電子ペーパーに画像の書込みを行なう画像書込み手段と、電子ペーパーと相対的に移動することにより電子ペーパーのクリーニングを行なうクリーニング手段とを有することを特徴とする画像書込み装置。
【請求項１１】
前記画像書込み手段は、前記クリーニング手段に対する前記電子ペーパーの相対的な移動方向に関し、該クリーニング手段の下流に配置したことを特徴とする請求項１０記載の画像書込み装置。
【請求項１２】
可視画像を消去自在に表示するペーパーライクリライタブル媒体において、表面が抗菌処理されていることを特徴とするペーパーライクリライタブル媒体。
【請求項１３】
可視画像を消去自在に表示するペーパーライクリライタブル媒体において、表面がシボ加工されてなることを特徴とするペーパーライクリライタブル媒体。
【発明の詳細な説明】
【０００１】
【発明の属する技術分野】
本発明は、ペーパーライクリライタブル媒体をクリーニングするクリーニング装置、電子ペーパーに画像を書き込む画像書込み装置、およびペーパーライクリライタブル媒体に関する。
【０００２】
【従来の技術】
パーソナルコンピュータ等で文書や絵を作成して画像出力装置に表示し、その画像出力装置に表示された情報を手に何枚も持って閲覧できるような媒体に変換する手段としては紙へのプリントアウトが一般的である。近年、環境問題がクローズアップされてきており、このような紙に代えて、複数回書き換えが可能で紙の様に扱うことができるペーパーライクリライタブル媒体が提案されている。ペーパーライクリライタブル媒体は、光や熱や磁気を利用して画像の書込みや消去を行なうものであり、例えば光を利用して画像の書込みや消去を行なうペーパーライクリライタブル媒体として、液晶表示装置の表示画面やプロジェクターの投影画面を瞬時に転写できる光書き込み型コレステリック液晶を用いた電子ペーパーが提案されている（例えば、特許文献１参照）。
【０００３】
【特許文献１】
特開２０００−１１１９４２号公報（段落番号００１９−段落番号０
０２６、第１図）
【０００４】
【発明が解決しようとする課題】
上述したペーパーリライタブル媒体は繰り返し使用されるため、ペーパーリライタブル媒体の表面には指紋等の汚れが付着しやすく、その表面に汚れが付着していると、ペーパーリライタブル媒体の、汚れが付着した部分への書込みを正常に行なうことは困難であるという問題がある。上述した特許文献１には、このような問題を解決する技術は提案されておらず、従って、電子ペーパーの、汚れが付着した部分には、正常な光パターンが照射されず、正常な画像の書込みは困難であるという問題が発生する。また、電子ペーパーの表面にペン等でマーク等を追記した場合、その電子ペーパーに画像を再び書き込む前に、その追記されたマーク等を消しておく必要がある。
【０００５】
また、ペーパーリライタブル媒体は、不特定多数の人に使用されるため衛生上嫌うユーザーが存在し普及の障壁になっている。尚、ペーパーリライタブル媒体に書き込まれた画像は機密漏洩防止の観点から、新たな画像が書き込まれる以前になるべく早く消去しておくことが望ましい。
【０００６】
本発明は、上記事情に鑑み、汚れが少なく清潔なペーパーライクリライタブル媒体を供給することのできるクリーニング装置、電子ペーパーに画像を書き込む画像書込み装置であって汚れが少なく清潔な電子ペーパーを供給することができる画像書込み装置、および表面の汚れを防止することのできるペーパーライクリライタブル媒体を提供することを目的とする。
【０００７】
【課題を解決するための手段】
上記目的を達成する本発明のクリーニング装置は、ペーパーライクリライタブル媒体を収容する収容部と、収容されたペーパーライクリライタブル媒体に対し相対的に移動することによりペーパーライクリライタブル媒体のクリーニングを行なうクリーニング手段とを有することを特徴とする。
【０００８】
ここで、上記クリーニング手段は、接触型の部材で擦り落とす機能を有するものであることが好ましい。
【０００９】
また、上記ペーパーライクリライタブル媒体は電子データを記憶するメモリを備えたものであって、上記クリーニング手段は、可視画像として記録されている画像及びメモリ内のデータを消去する機能を有するものであってもよい。
【００１０】
さらに、上記クリーニング手段は、上記ペーパーライクリライタブル媒体を非接触で除菌する除菌機能を有するものであってもよい。
【００１１】
また、上記クリーニング手段は、熱による殺菌機能を有するものであってもよい。
【００１２】
さらに、上記クリーニング手段は、溶媒によるクリーニング機能を有するものであってもよい。
【００１３】
また、本発明のクリーニング装置は、汚れを検知する汚れ検知手段を備え、上記クリーニング手段はその汚れ検知手段による汚れ検知結果に応じたクリーニングを行なうものであってもよい。
【００１４】
さらに、本発明のクリーニング装置における上記収容部は、内部が抗菌処理されたものであってもよい。
【００１５】
また、本発明のクリーニング装置における上記収容部は、ペーパーライクリライタブル媒体が収容されたトレイが着脱自在に装填されるトレイ装填部と、そのトレイ装填部に装填されたトレイから取り出されたペーパーライクリライタブル媒体を収容する媒体収容部とからなり、上記クリーニング手段は、上記トレイに収容されたペーパーライクリライタブル媒体をクリーニングして上記媒体収容部に収容させるものであってもよい。
【００１６】
また、上記目的を達成する本発明の画像書込み装置は、電子ペーパーを収容する収容手段と、電子ペーパーに画像の書込みを行なう画像書込み手段と、電子ペーパーと相対的に移動することにより電子ペーパーのクリーニングを行なうクリーニング手段とを有することを特徴とする。
【００１７】
ここで、上記画像書込み手段は、上記クリーニング手段に対する上記電子ペーパーの相対的な移動方向に関し、そのクリーニング手段の下流に配置したものであってもよい。
【００１８】
さらに、上記目的を達成する本発明のペーパーライクリライタブル媒体のうちの第１のペーパーライクリライタブル媒体は、可視画像を消去自在に表示するペーパーライクリライタブル媒体において、表面が抗菌処理されていることを特徴とする。
【００１９】
また、上記目的を達成する本発明のペーパーライクリライタブル媒体のうちの第２のペーパーライクリライタブル媒体は、可視画像を消去自在に表示するペーパーライクリライタブル媒体において、表面がシボ加工されてなることを特徴とする。
【００２０】
【発明の実施の形態】
以下、本発明の実施形態について説明する。
【００２１】
図１は、本発明のクリーニング装置の第１実施形態の機構を示した図である。
【００２２】
図１に示すクリーニング装置１０は、ペーパーライクリライタブル媒体である電子ペーパー２１０を収容するトレイ１１（本発明にいう収容部の一例に相当）と、収容された電子ペーパー２１０に対し相対的に移動することにより電子ペーパー２１０のクリーニングを行なう接触型の部材であるクリーニングブラシ１２＿１，１２＿２（本発明にいうクリーニング手段の一例に相当）と、電子ペーパー２１０の搬送を行なう搬送ロール１３＿１，１３＿２とを有する。
【００２３】
この電子ペーパー２１０は、液晶表示装置の表示画面やプロジェクターの投影画面を瞬時に転写できる光書き込み型コレステリック液晶を用いた電子ペーパーであり、この電子ペーパー２１０は繰り返し使用することができる。このため、電子ペーパー２１０の表面には汚れが付着しやすい。ここで、電子ペーパー２１０に画像を書き込む場合、その電子ペーパー２１０の表面に汚れが付着していると、その電子ペーパー２１０の、汚れが付着した書込み部分には、正常な光パターンが照射されず、従って正常な画像が書き込めないという問題が発生する。また、このような電子ペーパー２１０は、不特定多数の人に使用されるため衛生上嫌うユーザーが存在し普及の障壁になっている。さらに、電子ペーパー２１０の表面にペン等でマーク等が追記されていた場合、その電子ペーパー２１０に画像を書き込む前に、その追記されたマーク等を消しておく必要がある。
【００２４】
そこで、本実施形態のクリーニング装置１０では、そのような電子ペーパー２１０を複数枚トレイ１１に収容しておき、収容された電子ペーパー２１０を上から順番に１枚づつ搬送ロール１３＿１，１３＿２で矢印Ａ方向に搬送し、接触型のクリーニングブラシ１２＿１，１２＿２で電子ペーパー２１０の表面に付着している指紋等による汚れやペン等で追記されたマーク等を擦り落とす。このようにして電子ペーパー２１０のクリーニングを行なうことにより、電子ペーパ２１０を清潔に保つことができるとともに確実に画像を書き込むことができる。尚、ここでは、接触型のクリーニングブラシの例で説明したが、ブレードやスポンジで擦り落とすものであってもよく、本発明にいうクリーニング手段は、接触型の部材で擦り落とす機能を有するものであればよい。
【００２５】
図２は、本発明の画像書込み装置の第１実施形態の機構を示した図である。
【００２６】
尚、前述したクリーニング装置１０と同じ構成要素には同じ符号を付して説明する。
【００２７】
図２に示す画像書込み装置１００には、本発明のクリーニング装置の第２実施形態であるクリーニング装置２０が組み込まれている。先ず、クリーニング装置２０について説明する。
【００２８】
クリーニング装置２０のトレイ１１には、電子データを記憶するメモリを備えた電子ペーパー２２０が収容される。このクリーニング装置２０は、前述したクリーニングブラシ１２＿１，１２＿２に加えて、電子ペーパー２２０に可視画像として記録されている画像及びメモリ内の電子データを消去するための電極端子２１を有する。この電極端子２１は、電子ペーパー２２０への可視画像の記録およびメモリへの電子データの記憶を行なうための電極端子の役割も兼ねている。
また、電子ペーパー２２０の端部には、電極端子２１と接触する端子（図示せず）が備えられている。
【００２９】
クリーニング装置２０の上部には、電子ペーパー２２０に画像の書込みを行なう書込み手段１０１が載置されている。画像書込み装置１００は、このように構成されているため、省スペース化が実現されている。電子ペーパー２２０に書き込まれた画像及びメモリ内の電子データを消去するには、矢印Ｂ方向に書込み手段１０１を開いて、消去したい電子ペーパー２２０をトレイ１１に収容し、次いで書込み手段１０１を閉じて電子ペーパー２２０の端部に電極端子２１を接触することにより行なう。使用済みの電子ペーパー２２０をこのようにして消去しておくと、電子ペーパー２２０に書き込まれた画像および電子データの機密漏洩を防止することができる。
【００３０】
また、電子ペーパー２２０に画像および電子データの書込みを行なうには、書込み手段１０１を閉じてトレイ１１に収容された電子ペーパー２２０の端子に上記電極端子２１を接触させて、書込み手段１０１で電子ペーパー２２０全体に瞬時に画像を書込むとともにメモリ内に電子データを記憶させる。さらに、電子ペーパー２２０の表面に付着した汚れがクリーニングブラシ１２＿１，１２＿２で擦り落とされて矢印Ａ方向に排出される。
【００３１】
本実施形態の画像書込み装置１００では、電子ペーパー２２０への画像および電子データの書込みと、電子ペーパー２２０のクリーニングとが１つのトレイ１１で済む。従って、コンパクトな装置が実現される。また、手差しのみで行なう場合はこのトレイ１１も不要である。
【００３２】
図３は、本発明の画像書込み装置の第２実施形態の機構を示した図である。
【００３３】
尚、前述した画像書込み装置１００と同じ構成要素には同じ符号を付して説明する。
【００３４】
図３に示す画像書込み装置２００には、本発明のクリーニング装置の第３実施形態であるクリーニング装置３０が組み込まれている。このクリーニング装置３０は、クリーニングブラシ１２＿１，１２＿２の下流側に、非接触型の光による除菌機能を有する光除菌装置３１＿１，３１＿２を有する。クリーニングブラシ１２＿１，１２＿２で汚れが取り除かれた電子ペーパー２２０の表面を、光除菌装置３１＿１，３１＿２でさらに除菌することで、その電子ペーパー２２０を衛生的な観点からして清潔に保つことができる。尚、ここでは、非接触型の光による除菌機能を有する光除菌装置３１＿１，３１＿２の例で説明したが、非接触型のイオン（マイナスイオン）によるものでもよい。
【００３５】
図４は、本発明の画像書込み装置の第３実施形態の機構を示した図である。
【００３６】
尚、前述した画像書込み装置２００と同じ構成要素には同じ符号を付して説明する。
【００３７】
図４に示す画像書込み装置３００には、本発明のクリーニング装置の第４実施形態であるクリーニング装置４０が組み込まれている。このクリーニング装置４０は、ヒートロールの熱による殺菌機能を有するヒートロール４２＿１，４２＿２を有する。電子ペーパー２２０の表面は、ヒートロールロール４２＿１，４２＿２で汚れが擦り落とされるとともに殺菌されることで、その電子ペーパー２２０の汚れを除去するとともに衛生的な観点からして清潔に保つことができる。尚、ここでは、ヒートロールの熱により殺菌する例で説明したが、赤外線の熱により殺菌してもよい。
【００３８】
クリーニング装置４０の、この図４に示す右側には、電子ペーパー２２０に画像の書込みを行なう書込み手段１０１と、搬送ロール３０１＿１，３０１＿２とを有する書込部３１０が備えられている。このように、本実施形態の画像書込み装置３００は、クリーニング装置４０と書込部３１０を左右に配備した構成であるため、書込み手段１０１で電子ペーパー２２０に画像が書き込まれる前に、クリーニング装置４０で電子ペーパー２２０の表面の汚れが除去される。従って、電子ペーパー２２０への画像書込みにあたり、その電子ペーパー２２０の表面に付着したゴミ等に起因する書込み不良の低減化が図られる。
【００３９】
図５は、本発明の画像書込み装置の第４実施形態の機構を示した図である。
【００４０】
尚、前述した画像書込み装置３００と同じ構成要素には同じ符号を付して説明する。
【００４１】
図５に示す画像書込み装置４００には、本発明のクリーニング装置の第５実施形態であるクリーニング装置５０が組み込まれている。このクリーニング装置５０は、溶媒によるクリーニング機能を有する溶媒ロール５２＿１，５２＿２を有する。また、画像書込み装置４００には、前述した書込み手段１０１に代わる書込部４１０が備えられている。この書込部４１０は、電子ペーパー２２０に１ラインずつ画像の書込みを行なう書込み手段４０１と、搬送ロール４０１＿１，４０１＿２を有する。このように、先ず、電子ペーパー２２０の汚れを溶媒ロール５２＿１，５２＿２からの溶媒で除去し、次いで、書込み手段４０１で電子ペーパー２２０に１ラインずつ画像を書き込んでもよい。尚、手差しの場合は、前段のトレイ１１は不要である。
【００４２】
図６は、本発明の画像書込み装置の第５実施形態の機構を示した図である。
【００４３】
尚、前述した画像書込み装置４００と同じ構成要素には同じ符号を付して説明する。
【００４４】
図６に示す画像書込み装置５００には、本発明のクリーニング装置の第６実施形態であるクリーニング装置６０が組み込まれている。このクリーニング装置６０は、電子ペーパー２２０に可視画像として記録されている画像及びメモリ内の電子データを消去するための電極端子１４と、その電子ペーパー２２０の表面の汚れを検知する汚れ検知手段６１を備え、クリーニングロール６２＿１，６２＿２は汚れ検知手段６１による汚れ検知結果に応じたクリーニングを行なうものである。
【００４５】
また、画像書込み装置５００には、上記クリーニング装置６０でクリーニングされた電子ペーパー２２０を一括して収容するためのトレイ５０１と、それら電子ペーパー２２０に画像および電子データを書き込むための画像書込み電圧印加電極５０３と、画像および電子データが書き込まれた電子ペーパー２２０を搬送するための搬送ロール５０２＿１，５０２＿２とが備えられている。本実施形態の画像書込み装置５００では、電子ペーパー２２０に書き込まれた画像および電子データを予め消去してクリーニングし、トレイ５０１に複数枚収容しておくことができるため、他人に見られたくない情報を有する電子ペーパー２２０がトレイ５０１に残っているということが防止される。従って、セキュリティが高められる。また、クリーニング装置６０に備えられて電子ペーパー２２０を回収する役割を担うトレイ１１と、クリーニングされた電子ペーパー２２０を一括収容するストックトレイの役割を担うトレイ５０１との組み合わせであるため、電子ペーパー２２０に画像および電子データを連続して書き込む場合であってもクリーニング時間を短縮することができる。
【００４６】
図７は、本発明のクリーニング装置の第７実施形態の機構を示す図である。
【００４７】
このクリーニング装置７０は、電子ペーパー２２０の画像およびメモリ内の電子データを消去するための電極端子１４および電子ペーパー２２０が収容されたトレイ１１が着脱自在に装填されるトレイ装填部７１と、そのトレイ装填部７１に装填されたトレイ１１から取り出された電子ペーパー２２０を収容する媒体収容部７２とからなり、クリーニングブラシ１２＿１，１２＿２は、トレイ１１に収容された電子ペーパー２２０をクリーニングして媒体収容部７２に収容させるものである。
【００４８】
本実施形態のクリーニング装置７０は、トレイ１１に収容された電子ペーパー２２０に書き込まれている画像およびメモリ内の電子データの消去をクリーニング時に行なうものである。このため、トレイ装填部７１から取り出された時点で、それら画像およびメモリ内の電子データが消去されて媒体収容部７２に収容される。従って、表面の汚れのみクリーニングされ画像および電子データは消去されることなく収容された電子ペーパーと比較し、電子ペーパー２２０に書き込まれた画像および電子データにより機密が漏洩するということが防止される。
【００４９】
図８は、本発明の画像書込み装置の第６実施形態の機構を示した図である。
【００５０】
本実施形態の画像書込み装置６００は、クリーニングブラシ１２＿１，１２＿２で電子ペーパー２２０をクリーニングするに先だって、電子ペーパー２２０を少しづつずらした状態でトレイ１１に収容しておき、電極端子１４を図８の左から右に移動させることにより、それら電子ペーパー２２に記録されている画像および電子データを消去するものである。このため、電子ペーパー２２０がトレイ１１に収容されている時点で画像および電子データを消去することができる。従って、電子ペーパー２２０に対するセキュリティが一層高められる。
【００５１】
図９は、本発明の画像書込み装置の第７実施形態の機構を示した図である。
【００５２】
本実施形態の画像書込み装置７００には、本発明のクリーニング装置の第８実施形態であるクリーニング装置８０が組み込まれている。このクリーニング装置８０を構成するトレイ１１の内部には、抗菌処理部８１が備えられている。この抗菌処理部８１は、抗菌イオンを発生する。このようにすることにより、電子ペーパー２２０を収容するトレイ１１内における菌の繁殖を抑えることができる。
従って、電子ペーパー２２０を清潔に保つことができる。
【００５３】
図１０は、本発明のペーパーライクリライタブル媒体の第１実施形態の構造を示した図である。
【００５４】
図１０に示すペーパーライクリライタブル媒体２３０は、可視画像を消去自在に表示するペーパーライクリライタブル媒体である。このペーパーライクリライタブル媒体２３０は、画像形成層２３１と、その画像形成層２３１上に形成された抗菌処理層２３２を備えている。このように、ペーパーライクリライタブル媒体２３０の表面を抗菌処理することで、手垢や油汚れ等に起因する菌の繁殖を抑制することができる。
【００５５】
図１１は、本発明のペーパーライクリライタブル媒体の第２実施形態の構造を示した図である。
【００５６】
図１１に示すペーパーライクリライタブル媒体２４０は、可視画像を消去自在に表示するペーパーライクリライタブル媒体であって、このペーパーライクリライタブル媒体２４０は、画像形成層２４１と、その画像形成層２４１上にシボ加工されたシボ加工層２４２を備えている。表面が円滑なフィルムやガラス面を用いたペーパーライクリライタブル媒体の場合、指紋等による汚れが目立つ。そこで、本実施形態のペーパーライクリライタブル媒体２４０では、シボ加工層２４２を設けて表面を凸凹にすることにより指紋等による汚れを目立たなくするように工夫している。
【００５７】
【発明の効果】
以上説明したように、本発明のクリーニング装置によれば、汚れが少なく清潔なペーパーライクリライタブル媒体を供給することができる。また、本発明の画像書込み装置によれば、電子ペーパーに画像を書き込む画像書込み装置において汚れが少なく清潔な電子ペーパーを供給することができる。さらに、本発明のペーパーライクリライタブル媒体によれば、そのペーパーライクリライタブル媒体の表面の汚れを防止することができる。
【図面の簡単な説明】
【図１】本発明のクリーニング装置の第１実施形態の機構を示した図である。
【図２】本発明の画像書込み装置の第１実施形態の機構を示した図である。
【図３】本発明の画像書込み装置の第２実施形態の機構を示した図である。
【図４】本発明の画像書込み装置の第３実施形態の機構を示した図である。
【図５】本発明の画像書込み装置の第４実施形態の機構を示した図である。
【図６】本発明の画像書込み装置の第５実施形態の機構を示した図である。
【図７】本発明のクリーニング装置の第７実施形態の機構を示す図である。
【図８】本発明の画像書込み装置の第６実施形態の機構を示した図である。
【図９】本発明の画像書込み装置の第７実施形態の機構を示した図である。
【図１０】本発明のペーパーライクリライタブル媒体の第１実施形態の構造を示した図である。
【図１１】本発明のペーパーライクリライタブル媒体の第２実施形態の構造を示した図である。
【符号の説明】
１０，２０，３０，４０，５０，６０，７０，８０　クリーニング装置
１１，５０１　トレイ
１２＿１，１２＿２　クリーニングブラシ
１３＿１，１３＿２，３０１＿１，３０１＿２，４０１＿１，４０１＿２，５０２＿１，５０２＿２　搬送ロール
１４，２１　電極端子
３１＿１，３１＿２　光除菌装置
４２＿１，４２＿２　ヒートロール
５２＿１，５２＿２　溶媒ロール
６１　汚れ検知手段
６２＿１，６２＿２　クリーニングロール
７１　トレイ装填部
７２　媒体収容部
８１　抗菌処理部
１００，２００，３００，４００，５００，６００，７００　画像書込み装置
１０１，４０１　書込み手段
２１０，２２０　電子ペーパー
２３０，２４０　ペーパーライクリライタブル媒体
２３１，２４１　画像形成層
２３２　抗菌処理層
２４２　シボ加工層
３１０，４１０　書込部
５０３　電圧印加電極
【図１】
2004105853.tif 000003
【図２】
2004105853.tif 000004
【図３】
2004105853.tif 000005
【図４】
2004105853.tif 000006
【図５】
2004105853.tif 000007
【図６】
2004105853.tif 000008
【図７】
2004105853.tif 000009
【図８】
2004105853.tif 000010
【図９】
2004105853.tif 000011
【図１０】
2004105853.tif 000012
【図１１】
2004105853.tif 000013